(57)【要約】【課題】  家庭人でも簡単に、安全にネットの清掃や張替えができる防虫ネットを提供することを目的とする。【解決手段】  防虫ネット１は、網部材２と、この網部材２の周囲に固着された面ファスナーの雄材としてのフック面又は雌材としてのループ面（第１ファスナー３）と、前記第１ファスナー３と共に前記網部材２の周囲を挟込み固着される化粧片４と、建物開口部側に取り付けられ、且つ、前記第１ファスナー３と結合する面ファスナーの雄材としてのフック面又は雌材としてのループ面（第２ファスナー５）とを備えている。【選択図】        図１
2006097242.tif 000002
【特許請求の範囲】
【請求項１】
網部材と、
この網部材の周囲に取付けられた面ファスナーの雌材又は雄材と、
建物開口部に取り付けられ、且つ、前記面ファスナーの雌材又は雄材と係合する面ファスナーの雌材又は雄材とを備えたことを特徴とする防虫ネット。
【請求項２】
建物開口部側に取付けられる面ファスナーの雌材又は雄材は、室内側に臨んでいることを特徴とする請求項１に記載の防虫ネット。
【請求項３】
建物開口部の室内側に臨んでいる面ファスナーの雌材又は雄材は、建物開口部の網戸框に取付けられていることを特徴とする請求項１又は２に記載の防虫ネット。
【請求項４】
建物開口部の室内側に臨んでいる面ファスナーの雌材又は雄材は、建物開口部の網戸枠に取付けられていることを特徴とする請求項１又は２に記載の防虫ネット。
【発明の詳細な説明】
【技術分野】
【０００１】
本発明は、建物の開口部にセットされる防虫ネットに関する。
【背景技術】
【０００２】
防虫ネットは、通常、建物の開口部枠を構成する網戸枠に配置されている網戸框に取付けられている。
例えば、特許文献１の網戸枠体構造では、左右縦材の上下端間に上下横材を螺合して組み立てられる網戸枠体（網戸框）のネット取付部に、網押さえビードを使用して防虫ネットを取り付ける旨が記載されている（特許文献１  段落００３９参照）。
【特許文献１】特開２００２−１８８３７９
【０００３】
このような防虫ネットは、一年中風雨に曝されていることから汚れ易く、また傷み易かった。
そのため、防虫ネットの清掃が必要であり、破損した場合には、その張替えが必要になってくる。
【発明の開示】
【発明が解決しようとする課題】
【０００４】
しかし、防虫ネットの清掃や張替えは次のように手間が掛かる作業であった。
即ち、ネット自体が網戸框の室外側に張られているため、清掃や張替には網戸框を建物開口部の網戸枠から取外して行う場合が多かった。
建物開口部が高所の場合には、網戸框の落下、取外し作業の危険性があった。
網戸框の取外しに問題がなくても、ネットの張替え作業自体が家庭人には困難であった。
そのため、専門業者に張替えを依頼するか、破損したネットのまま網戸框が開口部に放置されてしまうことも多かった。
【０００５】
そこで本願発明は、家庭人でも簡単に、安全にネットの清掃や張替えができる防虫ネットを提供することを目的とする。
【課題を解決するための手段】
【０００６】
この目的を達成するため、本発明に係る防虫ネットは、網部材と、この網部材の周囲に取付けられた面ファスナーの雌材又は雄材と、建物開口部に取り付けられ、且つ、前記面ファスナーの雌材又は雄材と係合する面ファスナーの雌材又は雄材とを備えたことを特徴とする（請求項１に記載の発明）。
【０００７】
面ファスナーの特徴である接着機能と剥離機能を活かして、建物開口部に対する防虫ネットの着脱を容易にし、家庭人でも簡単に、安全にネットの清掃や張替えができる防虫ネットを提供することができる。
【０００８】
また、上記発明において、建物開口部側に取付けられる面ファスナーの雌材又は雄材は、室内側に臨んでいることを特徴とする（請求項２に記載の発明）。
この発明によれば、家庭人が室内から防虫ネットの着脱ができるので、家庭人でも簡単に、安全にネットの清掃や張替えができる防虫ネットを提供することができる。
【０００９】
また、上記発明において、建物開口部の室内側に臨んでいる面ファスナーの雌材又は雄材は、建物開口部の網戸框に取付けられていることを特徴とする（請求項３に記載の発明）。
この発明によれば、上記作用効果のほか、網戸框のネット取付部の室内側に面ファスナーの雌材又は雄材を接着等で取付けることで、既存の網戸框を活用することができる。
なお、網戸框のネット取付部に面ファスナーの雌材又は雄材を取付けることができない場合には、アタッチメントを介在させて面ファスナーの雌材又は雄材を取付けてもよい。
【００１０】
また、上記発明において、建物開口部の室内側に臨んでいる面ファスナーの雌材又は雄材は、建物開口部の網戸枠に取付けられていることを特徴とする（請求項４に記載の発明）。
この発明によれば、網戸框の代わりに網戸枠を利用して、面ファスナーの雌材又は雄材を接着等で取付けることができ、ユティリティ窓のように、開口部の寸法が小さい窓に有用である。
この場合にも網戸枠にアタッチメントを介在させて面ファスナーの雌材又は雄材を取付けてもよい。
【発明の効果】
【００１１】
以上の通り、本発明によれば、面ファスナーの特徴である接着機能と剥離機能を活かして、建物開口部に対する防虫ネットの着脱を容易にし、家庭人でも簡単に、安全にネットの清掃や張替えができる防虫ネットを提供することができる。
【発明を実施するための最良の形態】
【００１２】
本発明に係る防虫ネットの実施形態を図面に基づいて詳細に説明する。
図１は実施形態に係る防虫ネットの分解斜視図、図２及び図３はそれぞれ同ネットの取付態様図である。
なお、これらの各図及び以下に説明する各図において、同一の構成は同一の符号を付して、詳細な説明を省略する。
【００１３】
図１に示したように、前記防虫ネット１は、網部材２と、この網部材２の周囲に固着された面ファスナーの雄材としてのフック面又は雌材としてのループ面（以下、第１ファスナー３という）と、前記第１ファスナー３と共に前記網部材２の周囲を挟込み固着される化粧片４と、建物開口部側に取り付けられ、且つ、前記第１ファスナー３と係合する面ファスナーの雄材としてのフック面又は雌材としてのループ面（以下、第２ファスナー５という）とを備えている。
【００１４】
前記網部材２は、ポリエステル繊維等の合成樹脂からなる糸条を用いて、縦方向の糸条と横方向の糸条とを１本１本、織り合わせ、または編み合わせることにより形成されている。
前記網部材２のサイズは、網戸框又は網戸枠の寸法等に合わせて切断すればよい。
【００１５】
第１ファスナー３にループが形成されたループ面を使用すれば、第２ファスナー５にはフックが形成されたフック面を使用する。
これら第１、第２ファスナー３，５は、例えばマジックテープ（登録商標）が好ましいが、これに限定されるものはなく、マジックテープ（登録商標）と同等の機能を持つ面ファスナーであればどのようなものでもよい。
この第１ファスナー３と網部材２の取付けは、縫製でもよいし、接着剤で接着してもよいし、高周波ウエルダで溶着してもよい。
また第２ファスナー５の建物開口部側への取付けについては後述するが、どのような手段でもよく、例えば接着剤で接着する。
【００１６】
前記化粧片４は、第１ファスナー３と網部材２の固着個所を化粧するもので、その固着方法は、例えば接着、溶着で行う。
【００１７】
前記第２ファスナー５は、そのフック面又はループ面を室内側に臨ませることが好ましい。
家庭人が室内から防虫ネット１を迅速に着脱して、清掃や張替えができるようにするためである。
【００１８】
上記のような構成の防虫ネット１は、建物の開口部に取付ける前に、網部材２の四周に第１ファスナー３と化粧片４が固着されたもの（以下、ネット本体Ｎという）と、第２ファスナー５を準備しておく。
【００１９】
次に、上記のように構成された防虫ネット１の取付態様を図２及び図３に基いて説明する。
【００２０】
「既存の網戸框への取付」
図２及び図３に示したように、既存の網戸框６に防虫ネット取付用のアタッチメント７を取付け、そのアタッチメント７に前記第２ファスナー５を固着し、この第２ファスナー５にネット本体Ｎを係合させればよい。
前記アタッチメント７としては、図２のように網戸框６のネット取付部６０に組込むことができるような断面が略Ｚ字状のものとし、網戸框６の開口に沿って形成されている前記ネット取付部６０に接着するか、ネジ止めすればよい。
第２ファスナー５は前記アタッチメント７の垂下片７０に接着して取り付ける。
また図４のように、アタッチメント７の垂下片７０に第２ファスナー５を収容できるようなサヤ７１を形成してもよい。
なお、網戸框６のネット取付部６０の背面、即ち室内側の面を利用して、そこに第２ファスナー５を固着できる場合には、アタッチメント７を用いずに直接的にネット本体Ｎを取付けることができる。
【００２１】
「新規の網戸框への取付」
前記アタッチメント７を網戸框６に一体的に成形した、新規な網戸框６（図示せず）を用い、その網戸框６に第２ファスナー５を固着してもよい。
【００２２】
「既存の網戸枠への取付」
ユティリティ窓のように、開口部の寸法が小さい窓については窓の網戸枠を利用して、直接に第２ファスナー５を固着し、その第２ファスナー５にネット本体Ｎを係合させてもよい。また、網戸枠に上記と同様なアタッチメント７を介在させてもよい。
【００２３】
以上のような防虫ネット１によれば、
第１に、面ファスナーの特徴である接着機能と剥離機能を活かして、建物開口部に対する防虫ネットの着脱を容易にし、家庭人でも簡単に、安全にネットの清掃、洗浄、張替えができる防虫ネットを提供できる。
第２に、防虫ネットは、建物開口部の室内側に取付けられるので、ネットの清掃や張替えの際に網戸框を開口部から取外す必要がない。
第３に、既存の網戸框や網戸枠をそのまま活用することができ、リフォームに適した防虫ネットとなっている。
【図面の簡単な説明】
【００２４】
【図１】実施形態に係る防虫ネットの分解斜視図、
【図２】同防虫ネットの取付態様の説明図、
【図３】同防虫ネットの取付態様の説明図、
【図４】同防虫ネットの取付態様の説明図である。
【符号の説明】
【００２５】
１  防虫ネット                        ２  網部材
３  第１ファスナー                    ４  化粧片
５  第２ファスナー                    ６  網戸框
７  アタッチメント                    ６０  ネット取付部
７０  垂下片                          ７１  サヤ
【図１】
2006097242.tif 000003
【図２】
2006097242.tif 000004
【図３】
2006097242.tif 000005
【図４】
2006097242.tif 000006